(57)【要約】【課題】浸水を効果的に抑制することが可能なウォーターフェンスを提供する。【解決手段】このウォーターフェンス１００は、底面１ａと設置面との間の水をポンプ３により吸い取るための吸水口１５ａを含み、背面１ｃ側への浸水を防止するための堰を形成するウォーターフェンス本体部１と、ウォーターフェンス本体部１の底部に吸水口１５ａを取り囲むように周状に設けられ、設置面への設置性を向上させる設置力増強部材２と、設置力増強部材２とは別個にウォーターフェンス本体部１の前面１ｂ側に設けられ、設置力増強部材２により取り囲まれた領域Ａの外側から設置力増強部材２により取り囲まれた領域Ａの内側に通水する流路４１を有する通水部材４とを備える。【選択図】図６
2019007292.tif 000002
【特許請求の範囲】
【請求項１】
底面と設置面との間の水を吸水装置により吸い取るための吸水口を含み、背面側への浸水を防止するための堰を形成するウォーターフェンス本体部と、
前記ウォーターフェンス本体部の底部に前記吸水口を取り囲むように周状に設けられ、前記設置面への設置性を向上させる設置力増強部材と、
前記設置力増強部材とは別個に前記ウォーターフェンス本体部の前面側および側面側の少なくとも一方に設けられ、前記設置力増強部材により取り囲まれた領域の外側から前記設置力増強部材により取り囲まれた領域の内側に通水する流路を有する通水部材とを備える、ウォーターフェンス。
【請求項２】
前記通水部材は、前記設置力増強部材の前面側および側面側の少なくとも一方に設置されている、請求項１に記載のウォーターフェンス。
【請求項３】
前記流路は、平面視において、前記吸水口に向けて延びている、請求項１または２
に記載のウォーターフェンス。
【請求項４】
前記通水部材は、前記設置力増強部材により取り囲まれた領域側の前記設置力増強部材の内側面と、前記領域側とは逆側の前記設置力増強部材の外側面とを貫通するように延びるとともに、前記設置力増強部材の下端に設けられ、縦断面が上方に窪む凹形状を有している、請求項１〜３のいずれか１項に記載のウォーターフェンス。
【請求項５】
前記流路は、下側に向かうにつれて幅が大きくなるように形成されている、請求項４に記載のウォーターフェンス。
【請求項６】
前記通水部材は、前記設置力増強部材の下端に、水平方向に間隔を隔てて複数設けられている、請求項２に記載のウォーターフェンス。
【請求項７】
前記通水部材は、金属材料により形成されている、請求項１〜６のいずれか１項に記載のウォーターフェンス。
【請求項８】
前記通水部材は、前記設置力増強部材に設けられ、
前記通水部材の上下方向の高さは、前記設置力増強部材の上下方向の高さの５分の１以上３分の１未満である、請求項１〜７のいずれか１項に記載のウォーターフェンス。
【請求項９】
前記設置力増強部材により取り囲まれた領域は、複数隣接して設けられ、
前記通水部材は、隣接する前記領域に跨るように設けられ、隣接する前記領域間を通水可能に接続している、請求項１〜８のいずれか１項に記載のウォーターフェンス。
【発明の詳細な説明】
【技術分野】
【０００１】
この発明は、ウォーターフェンスに関し、特に、浸水を抑制するためのウォーターフェンスに関する。
【背景技術】
【０００２】
従来、浸水を抑制するための水嚢（ウォーターフェンス）が知られている（たとえば、特許文献１参照）。
【０００３】
上記特許文献１には、洪水などによって大量の水が流れ出た場合、袋体に水を注水して、流出した水による浸水を防ぐ堰として機能させるための水嚢（ウォーターフェンス）が開示されている。この特許文献１の水嚢は、流出した水によって水嚢が流されないように積載性や、設置性を向上させるために水嚢の底面に吸盤が複数設けられている。
【先行技術文献】
【特許文献】
【０００４】
【特許文献１】特開２００５−１６３５１４号公報
【発明の概要】
【発明が解決しようとする課題】
【０００５】
しかしながら、上記特許文献１では、水嚢底面に吸盤を設けた構成であるため、水嚢と設置面（特にタイル目地等の凹凸のある部分）との間に隙間ができる。また、長い範囲において浸水を抑制しようとして水嚢を横に並べた場合、隣接する水嚢の間に隙間ができ、水密性を確保することが困難である。これらの結果、浸水を効果的に抑制することが困難であるという問題点がある。
【０００６】
この発明は、上記のような課題を解決するためになされたものであり、この発明の１つの目的は、浸水を効果的に抑制することが可能なウォーターフェンスを提供することである。
【課題を解決するための手段】
【０００７】
この発明の一の局面によるウォーターフェンスは、底面と設置面との間の水を吸水装置により吸い取るための吸水口を含み、背面側への浸水を防止するための堰を形成するウォーターフェンス本体部と、ウォーターフェンス本体部の底部に吸水口を取り囲むように周状に設けられ、設置面への設置性を向上させる設置力増強部材と、設置力増強部材とは別個にウォーターフェンス本体部の前面側および側面側の少なくとも一方に設けられ、設置力増強部材により取り囲まれた領域の外側から設置力増強部材により取り囲まれた領域の内側に通水する流路を有する通水部材とを備える。
【０００８】
この発明の一の局面によるウォーターフェンスでは、上記のように、吸水装置により水を吸い取るための吸水口を含むウォーターフェンス本体部と、ウォーターフェンス本体部の底部に、吸水口を取り囲むように周状に配置され、設置面への設置性を向上させる設置力増強部材とを設ける。これにより、ウォーターフェンス本体部の設置時の自重と、吸水装置が吸水することとによって、設置力増強部材は、弾性圧縮変形するとともに、外部から設置面とウォーターフェンス本体部の底面との間に侵入する水を適量に抑制しつつ吸水装置の自吸水を確保することができる。これらの結果、水密性を確保することができるので、浸水を効果的に抑制することができる。また、吸水装置により、ウォーターフェンスと設置面との間の水を空気とともに吸い取ることができるので、ウォーターフェンス本体部の底面と設置面との間に負圧を発生させることができる。その結果、ウォーターフェンスを安定して設置することができるので、浸水を一層効果的に抑制することができる。また、設置力増強部材とは別個にウォーターフェンス本体部の前面側および側面側の少なくとも一方に配置され、設置力増強部材により取り囲まれた領域の外側から設置力増強部材により取り囲まれた領域の内側に通水する流路を有する通水部材を設ける。これにより、吸水装置の吸水によってウォーターフェンスの底部（設置力増強部材により取り囲まれた領域）の真空度が上がり、設置力増強部材が圧縮されたとしても、通水部材により設置力増強部材に取り囲まれた領域内に水を送ること（通水すること）ができるので、吸水装置に継続的に吸水させることができる。その結果、吸水装置が空運転するのを抑制することができるので、吸水した水により吸水装置を継続的に冷却することができる。すなわち、吸水装置の温度が上昇することにより、吸水装置が停止するのを抑制することができる。以上のように、ウォーターフェンスは、浸水を効果的に抑制することができるとともに、吸水装置の温度が上昇することにより、吸水装置が停止するのを抑制することができる。
【０００９】
上記一の局面によるウォーターフェンスにおいて、好ましくは、通水部材は、設置力増強部材の前面側および側面側の少なくとも一方に設置されている。このように構成すれば、設置面に接触する設置力増強部材に通水部材が設けられるので、比較的低い水位であっても通水部材により、ウォーターフェンスの前面に押し寄せる水を設置力増強部材に取り囲まれた領域に通水することができる。
【００１０】
上記一の局面によるウォーターフェンスにおいて、好ましくは、流路は、平面視において、吸水口に向けて延びている。このように構成すれば、通水部材の流路から設置力増強部材により取り囲まれた領域に通水された水を吸水口に向けて流すことができるので、吸水口から吸水されやすくすることができる。
【００１１】
上記一の局面によるウォーターフェンスにおいて、好ましくは、通水部材は、設置力増強部材により取り囲まれた領域側の設置力増強部材の内側面と、上記領域側とは逆側の設置力増強部材の外側面とを貫通するように延びるとともに、設置力増強部材の下端に設けられ、縦断面が上方に窪む凹形状を有している。このように構成すれば、通水部材が、設置力増強部材の下端に設けられるとともに、縦断面が上方に窪む凹形状を有するので、ウォーターフェンスの底面に設けられた通水部材にゴミ等が堆積したとしても、容易に取り除くことができる。
【００１２】
この場合、好ましくは、流路は、下側に向かうにつれて幅が大きくなるように形成されている。このように構成すれば、流路が、水が溜まっていく側である下側の幅が大きくなるように形成されているので、水位が流路の高さよりも低い場合であっても、通水部材から空気が通る量を少なくして効果的に設置力増強部材により取り囲まれた領域に通水することができる。
【００１３】
上記通水部材が設置力増強部材の前面側および側面側の少なくとも一方に設置される構成において、好ましくは、通水部材は、設置力増強部材の下端に、水平方向に間隔を隔てて複数設けられている。このように構成すれば、通水部材が１つの場合と比較して、１つの通水部材が砂や泥等で閉塞したとしても、他の通水部材により通水し続けることができるので、通水部材により設置力増強部材に取り囲まれた領域内に、より安定して水を送ること（通水すること）ができる。その結果、吸水装置をより効果的に冷却させ続けることができる。
【００１４】
上記一の局面によるウォーターフェンスにおいて、好ましくは、通水部材は、金属材料により形成されている。このように構成すれば、比較的強度（剛性）が低い材料により通水部材が形成されている場合と比較して、ウォーターフェンス本体部の底面と設置面との間に負圧を発生させた際の通水部材の変形を小さくすることができる。その結果、通水部材の変形により流路が塞がれて、通水部材の通水量が小さくなるのを抑制することができる。
【００１５】
上記一の局面によるウォーターフェンスにおいて、好ましくは、通水部材は、設置力増強部材に設けられ、通水部材の上下方向の高さは、設置力増強部材の上下方向の高さの５分の１以上３分の１未満である。このように構成すれば、ウォーターフェンスの重さと、ウォーターフェンス本体部の底面と設置面との間の負圧により設置力増強部材が圧縮変形される際に、通水部材が設置力増強部材の圧縮変形を阻害しないよう構成することができる。
【００１６】
上記一の局面によるウォーターフェンスにおいて、好ましくは、設置力増強部材により取り囲まれた領域は、複数隣接して設けられ、通水部材は、隣接する上記領域に跨るように設けられ、隣接する上記領域間を通水可能に接続している。このように構成すれば、隣接する設置力増強部材により取り囲まれた領域間で、通水部材により通水することができるので、各領域に安定して水を送ること（通水すること）ができるとともに、各領域毎に吸水装置を設ける必要を無くすことができる。
【発明の効果】
【００１７】
本発明によれば、上記のように、浸水を効果的に抑制することができる。
【図面の簡単な説明】
【００１８】
【図１】本発明の第１実施形態によるウォーターフェンスを上方から見た斜視図である。
【図２】本発明の第１実施形態によるウォーターフェンスを下方から見た斜視図である。
【図３】本発明の第１実施形態によるウォーターフェンス本体部を下方から見た斜視図である。
【図４】本発明の第１実施形態によるウォーターフェンスの分解斜視図である。
【図５】本発明の第１実施形態によるウォーターフェンスの第１本体部を示した斜視図である。
【図６】本発明の第１実施形態によるウォーターフェンスの底面図である。
【図７】図２のＡ部を拡大して前方から見た図である。
【図８】本発明の第１実施形態によるウォーターフェンスの模式的な底面図である。
【図９】本発明の第１実施形態によるウォーターフェンスの通水部材を下方から見た斜視図である。
【図１０】本発明の第１実施形態によるウォーターフェンスの設置力増強部材の特性を示した表である。
【図１１】本発明の第１実施形態によるウォーターフェンスの設置力増強部材の水透過の特性を示した表である。
【図１２】本発明の第１実施形態によるウォーターフェンスのチューブ材の特性を示した表である。
【図１３】本発明の第２実施形態によるウォーターフェンスの模式的な底面図である。
【図１４】本発明の第３実施形態によるウォーターフェンスを上方から見た斜視図である。
【図１５】本発明の第３実施形態によるウォーターフェンスの模式的な底面図である。
【図１６】本発明の第３実施形態による第１ウォーターフェンスと第２ウォーターフェンスとの連結部分の分解斜視図である。
【図１７】本発明の第４実施形態によるウォーターフェンスの模式的な底面図である。
【図１８】本発明の第５実施形態によるウォーターフェンスの模式的な底面図である。
【発明を実施するための形態】
【００１９】
以下、本発明の実施形態を図面に基づいて説明する。
【００２０】
［第１実施形態］
図１〜図１２を参照して、本発明の第１実施形態によるウォーターフェンス１００の構成について説明する。
【００２１】
（ウォーターフェンスの構成）
図１に示す第１実施形態によるウォーターフェンス１００は、建物への浸水を防いだり、工事現場などにおいて水を長時間せき止めたり、流れを有する河川などをせき止めたりするために用いられる。
【００２２】
ウォーターフェンス１００は、図１および図２に示すように、ウォーターフェンス本体部１と、ウォーターフェンス本体部１の底面１ａ（図２参照）に配置される設置力増強部材２とを備えている。ウォーターフェンス１００は、Ｘ方向に延びる細長形状を有しており、Ｙ方向の水を止めるように設置される。また、図１に示すように、ウォーターフェンス１００には、自吸機能を有した自吸ポンプ（以下「ポンプ」と称す）３が接続されている。ポンプ３は、急な増水に対しても信頼性の高い水没使用が可能な防水構造を有するポンプとすることが望ましい。また、ウォーターフェンス本体部１には、重りとして水を注水したり、ペットボトルなどの重り部材を配置可能に構成されている。なお、ポンプ３は、特許請求の範囲の「吸水装置」の一例である。
【００２３】
ウォーターフェンス１００は、図２に示すように、ウォーターフェンス本体部１の前面１ｂ側（Ｙ２方向側）の設置力増強部材２の下端（底面２ｂ）に設置される通水部材４と、設置力増強部材２の底面２ｂに配置されたチューブ材５とを備えている。なお、チューブ材５は、設置力増強部材２と通水部材４との間に挟み込まれている。
【００２４】
（ウォーターフェンス本体部の構成）
図１に示すように、ウォーターフェンス本体部１は、第１部材１１と、第２部材１２と、連結部材１３と、パイプ１４と、パイプ１５（図３参照）とを含んでいる。第１部材１１は、凸部１１１（図３参照）と、嵌合部１１２（図４参照）と、筒状部１１３（図５参照）と、板状部１１４（図５参照）と、フランジ部１１５（図５参照）と、肉抜穴１１６（図５参照）とを有している。第２部材１２は、図８に示すように、重り収容部１２１と、凸部１２２（図３参照）と、嵌合部１２３（図４参照）と、凹部１２４および１２５（図４参照）とを有している。
【００２５】
ウォーターフェンス本体部１は、浸水を防止するための堰を形成している。具体的には、ウォーターフェンス本体部１は、柱や壁或いは扉（図示せず）などの前面側（Ｙ２方向側）に配置され、背面１ｃ側（Ｙ１方向側、つまり前面１ｂ側の反対側）への浸水を防止する堰を形成している。また、ウォーターフェンス本体部１は、第１部材１１のＸ方向の両端に、それぞれ、第２部材１２が連結されている。また、ウォーターフェンス本体部１は、複数に分割可能に構成されている。具体的には、第２部材１２は、第１部材１１に対してＸ方向に隣接して配置されている。
【００２６】
また、第２部材１２は、Ｘ方向において第１部材１１を挟むように一対設けられている。一対の第２部材１２は、第１部材１１を挟み込んだ状態で、弾性を有する連結部材１３により挟持されることにより、連結されている。具体的には、図１および図２に示すように、一対の第２部材１２が第１部材１１を挟んでＸ方向に隣接して配置された状態で、Ｙ方向の両側（Ｙ１方向およびＹ２方向）に設けられた連結部材１３により、第１部材１１および一対の第２部材１２が連結されている。
【００２７】
第１部材１１は、水を透過させない素材により形成されている。第１部材１１は、たとえば、ゴムや樹脂或いは金属などにより形成されている。好ましくは、第１部材１１は、弾性材料により形成されている。また、第１部材１１は、第２部材１２よりも比重が大きい材料により形成されている。
【００２８】
図３に示すように、第１部材１１の下面側（Ｚ２方向側）には、凸部１１１が設けられている。凸部１１１の外側の平坦面には、設置力増強部材２が取り付けられるように構成されている。また、凸部１１１は、吸水口１５ａが設けられたパイプ１５をＹ方向に挟み込むように、一対設けられている。また、凸部１１１は、第１部材１１に連結される第２部材１２の凸部１２２とつながるように形成されている。
【００２９】
図４に示すように、第１部材１１の底部（Ｚ２方向側部）には、第２部材１２側（Ｘ方向）に凸状に突出する嵌合部１１２が設けられている。嵌合部１１２は、第２部材１２の嵌合部１２３に嵌合するように構成されている。また、嵌合部１１２は、平面視において（Ｚ方向から見て）、第２部材１２とオーバーラップするように配置されている。つまり、嵌合部１１２は、第１部材１１および第２部材１２を底面を上にして組立てた場合に、図３に示すように、第２部材１２に覆いかぶさるように、嵌合部１２３に嵌合する。これによって、組み立て時や、浸水しようとする水を防ぐ際において、第１部材１１および第２部材１２がずれることを抑制することができる。
【００３０】
図５に示すように、筒状部１１３は、上下方向（Ｚ方向）に延びるように形成されている。また、筒状部１１３は、第１部材１１のＹ方向の中央近傍に配置されている。また、筒状部１１３は、第１部材１１のＸ方向の中央近傍に配置されている。また、筒状部１１３は、第２部材１２の凹部１２４に嵌り込むように構成されている。筒状部１１３の内側には、ポンプ３により底面と設置面との間の水を吸い取るための流路１１３ａが設けられている。つまり、筒状部１１３の流路１１３ａは、上下方向に貫通するように設けられている。
【００３１】
図４に示すように、筒状部１１３の上部には、ポンプ３が接続されるためのパイプ１４が挿入されている。パイプ１４は、たとえば、金属により形成されている。また、パイプ１４は、略Ｌ字形状に形成されている。パイプ１４には、設置面とウォーターフェンス１００との間の水を吸い取るポンプ３が取り付けられるように構成されている。具体的には、図１に示すように、パイプ１４の外側の端部には、ポンプ３に接続される管（ホースなど）が接続されるように構成されている。
【００３２】
図３に示すように、筒状部１１３（図５参照）の底部には、吸水口１５ａが設けられたパイプ１５が挿入されている。パイプ１５は、たとえば、金属により形成されている。パイプ１５の下側（Ｚ２方向側）の端部は、凸部１１１の下端近傍（Ｚ２方向側の端部近傍）に配置されている。これにより、ウォーターフェンス本体部１の底面１ａと設置面との間の水が、ポンプ３（図１参照）により吸水される。なお、パイプ１５の吸水口１５ａに、異物除去用のフィルターを設けてもよい。これにより、ポンプ３によって吸い込み、排出される水からゴミなどの異物を除去することができるので、緊急時の水として活用することも可能である。なお、フィルターは吸込みから排出までの間に設けられれば良いので、ポンプ３の吸水用ホースなどに設けてもよい。
【００３３】
図５に示すように、板状部１１４は、筒状部１１３に対してＹ方向に接続され、Ｙ方向に延びるように形成されている。具体的には、板状部１１４は、筒状部１１３のＹ方向の両側（Ｙ１方向およびＹ２方向）に配置されている。また、板状部１１４は、筒状部１１３の外径よりも小さいＸ方向の幅を有している。
【００３４】
フランジ部１１５は、筒状部１１３の上部に配置されている。また、フランジ部１１５は、略水平方向（ＸＹ方向）に突出するように形成されている。また、フランジ部１１５は、第２部材１２の凹部１２５に嵌り込むように構成されている。
【００３５】
肉抜穴１１６は、嵌合部１１２に設けられている。また、肉抜穴１１６は、Ｘ方向に延びるように形成されている。これにより、第１部材１１を軽量化することが可能である。
【００３６】
図１に示すように、第２部材１２は、直方体の箱型形状を有している。また、第２部材１２は、Ｘ方向に延びるように形成されている。また、第２部材１２は、水を透過させない素材により形成されている。第２部材１２は、たとえば、発泡スチロールやゴムや樹脂或いは金属などにより形成されている。好ましくは、第２部材１２は、発泡材料により形成されている。第２部材１２の重り収容部１２１には、重りとして水が注水されたり、ペットボトルなどの重りが収容されたりするように構成されている。第２部材１２の重り収容部１２１に水などの重りが収容されることによりウォーターフェンス１００に加わる荷重を増すことが可能なように構成されている。なお、重り収容部１２１に、石、砂、土などを入れて重りとしてもよい。
【００３７】
図３に示すように、第２部材１２の下面側（Ｚ２方向側）には、凸部１２２が設けられている。凸部１２２の外側の平坦面には、設置力増強部材２が取り付けられるように構成されている。また、凸部１２２は、平面視において略Ｕ字形状に形成されている。また、凸部１２２は、第２部材１２に連結される第１部材１１の凸部１１１とつながるように形成されている。つまり、第１部材１１の凸部１１１と、第２部材１２の凸部１２２とが連結されて、長方形のロ字形状の凸部が形成される。この凸部１１１および１２２により設置力増強部材２が平面方向（ＸＹ方向）にずれることが抑制される。また、ロ字形状の凸部の内側は、ポンプ３により吸水される水の通り道となる。
【００３８】
図４に示すように、第２部材１２の底部（Ｚ２方向側部）には、第１部材１１の嵌合部１１２が嵌合する嵌合部１２３が設けられている。具体的には、嵌合部１２３は、凹状に形成されており、凸状の嵌合部１１２が嵌合するように構成されている。
【００３９】
凹部１２４は、第１部材１１の筒状部１１３に対応する部分に形成されている。つまり、第１部材１１および第２部材１２を組み合わせた場合に、第１部材１１の筒状部１１３が第２部材１２の凹部１２４に嵌り込む（係合する）ように構成されている。凹部１２５は、第１部材１１のフランジ部１１５に対応する部分に形成されている。つまり、第１部材１１および第２部材１２を組み合わせた場合に、第１部材１１のフランジ部１１５が第２部材１２の凹部１２５に嵌り込む（係合する）ように構成されている。
【００４０】
（設置力増強部材の構成）
図６に示すように、設置力増強部材２は、ウォーターフェンス本体部１の底面１ａに、パイプ１５の吸水口１５ａを取り囲むように矩形の周状に設けられ、ウォーターフェンス本体部１の設置面への設置性を向上させるように構成されている。つまり、ウォーターフェンス本体部１の設置時の自重と、ポンプ３が吸水することとによって、設置力増強部材２は、弾性圧縮変形するとともに、外部の水を所定量透過させることにより、ウォーターフェンス本体部１の設置面内の圧力を低圧安定させるように構成されている。
【００４１】
具体的には、設置力増強部材２は、ウォーターフェンス本体部１の自重と、重りの重力と、ポンプ３が吸水することにより生じる負圧とにより、圧縮されて、水の透過率が所定の値となることにより、ウォーターフェンス本体部１の底面１ａと設置面との間に外部からの水を所定量透過させてポンプ３（図１参照）の自吸水を確保するように構成されている。
【００４２】
設置力増強部材２は、半連続気泡構造を有しており、圧縮変形されることにより水の透過率が変化するように構成されている。設置力増強部材２は、たとえば、半連続気泡構造の気孔率５０％〜６０％程度のやわらかいスポンジ材により形成されている。また、設置力増強部材２は、半連続気泡構造のスポンジが圧縮されることによりスポンジの孔が小さくなり、水の透過率が変わるように構成されている。また、設置力増強部材２は、圧縮力がかからない状態において、たとえば、約２０ｍｍ以上約３０ｍｍ以下の高さを有する。重り収容部１２１に重りが収容され、ポンプ３が駆動された場合、半連続気泡構造のスポンジは５０〜８０％程度圧縮されることが望ましい。また、設置力増強部材２は、第１部材１１よりも柔らかい材料により形成されている。
【００４３】
設置力増強部材２は、ウォーターフェンス本体部１の自重と、重り収容部１２１（図１参照）に収容された重りと、ポンプ３の吸引力によって生じる負圧とにより圧縮されるように構成されている。また、ポンプ３は、設置力増強部材２を透過した水を、設置面内側の空間の空気とともに吸引するように構成されている。つまり、設置力増強部材２により吸水された水が第１部材１１の流路１１３ａ（図５参照）を介してポンプ３に吸引されるように構成されている。なお、ポンプ３は、空気とともに水を吸い込むので、ポンプ３の吐出口から水を吐き出す状態と、ポンプ３の吐出口から少しの水を空気とともに吐き出す状態とを数秒程度の周期で繰り返す間欠運転となる。
【００４４】
また、図１に示すポンプ３により、設置力増強部材２を透過した水を、設置面内側の空間の空気とともに吸引することにより、ウォーターフェンス本体部１と設置面との間の空間の真空度が上げられる（空間（図６および図８に示す後述する領域Ａ）の気圧が下がる）。これにより、設置面に対してウォーターフェンス本体部１を安定させて配置することが可能に構成されている。その結果、ウォーターフェンス本体部１が水により押されて変形したり、流されたりすることを効果的に抑制することが可能である。
【００４５】
また、設置力増強部材２は、第１部材１１の凸部１１１の外側の平坦面および第２部材１２の凸部１２２の外側の平坦面に取り付けられるように構成されている。具体的には、設置力増強部材２は、両面テープなどの接着層を介して、第１部材１１および第２部材１２の底面に取り付けられる。また、図６に示すように、設置力増強部材２は、底面視において（Ｚ２方向から見て）、ウォーターフェンス本体部１の底面の外周部に環状に配置されている。
【００４６】
また、設置力増強部材２は、図４に示すように、分割可能に構成されている。具体的には、設置力増強部材２は、第１部材１１に取り付けられる設置力増強部材２１と、第２部材１２に取り付けられる設置力増強部材２２とに分割可能である。つまり、設置力増強部材２１を第１部材１１に取り付け、設置力増強部材２２を第２部材１２に取り付けた状態で、第１部材１１および第２部材１２を、分割すること、または、組み立てることが可能である。
【００４７】
また、設置力増強部材２１の端部は、組み立てる前において、第１部材１１の端部（側面）からＸ方向に突出して構成されていることが望ましい。たとえば、Ｘ１方向側の設置力増強部材２１の端部が、Ｘ１方向側の第１部材１１の端部よりも５〜１０ｍｍ程度突出し、さらに、Ｘ２方向側の設置力増強部材２１の端部が、Ｘ２方向側の第１部材１１の端部よりも５〜１０ｍｍ程度突出して構成されることが望ましい。なお、設置力増強部材２１のＸ方向における端部は、第１部材１１の端部を面一に揃え、設置力増強部材２２の端部が、第２部材１２の端部からＸ方向（設置力増強部材２１側）に５〜１０ｍｍ程度突出して構成してもよい。また、設置力増強部材２１のＸ方向側の端部を、第１部材１１の端部からＸ方向（設置力増強部材２２側）に３〜５ｍｍ程度突出させ、さらに、設置力増強部材２２のＸ方向側の端部を、第２部材１２の端部からＸ方向（設置力増強部材２１側）に３〜５ｍｍ程度突出させて構成してもよい。これにより、設置力増強部材２１と、設置力増強部材２２の端部間に隙間が生じるのを抑制して、密着させた状態でウォーターフェンス１００を組み立てることができるので、ウォーターフェンス本体部１と設置面との間の気密性を高めることができる。その結果、ポンプ３の吸引により、ウォーターフェンス本体部１と設置面との間の空間の真空度を効果的に上げる（空間の気圧を下げる）ことが可能である。また、突出量は、ウォーターフェンス１００のＸ方向の長さ、設置力増強部材２の硬さなどに応じて適宜設定してもよい。
【００４８】
図１に示すポンプ３は、ウォーターフェンス本体部１の底面１ａ（図２参照）と設置面との間の水を吸い取るように構成されている。また、ポンプ３は、水深が浅い水を吸水可能に構成されている。これにより、ポンプ３は、設置面とウォーターフェンス本体部１の底面１ａとの間に浸水した少量の水を効果的に排水することが可能である。
【００４９】
（チューブ材の構成）
図２に示すように、チューブ材５は、設置力増強部材２の底面２ｂに配置されている。また、チューブ材５は、設置力増強部材２よりも低い吸水率を有するとともに、設置力増強部材２よりも柔らかい。具体的には、チューブ材５は、中空形状を有する管状部材である。また、チューブ材５は、外力により変形しやすい材料により形成されている。たとえば、チューブ材５は、ゴムにより形成されている。また、チューブ材５は、設置力増強部材２に、接着層を介して貼りつけられている。
【００５０】
また、チューブ材５は、圧縮されて変形することにより、設置面の目地などの凹凸に食い込むとともに、設置力増強部材２を設置面に密着させるように構成されている。また、チューブ材５は、設置力増強部材２よりも小さい幅を有する。また、図２および図６に示すように、チューブ材５は、設置力増強部材２に沿って配置されている。具体的には、チューブ材５は、平面視において（Ｚ方向から見て）略ロ字形状に配置された設置力増強部材２に沿って、略ロ字形状に配置されている。また、チューブ材５は、設置力増強部材２の略中央に配置されている。
【００５１】
また、チューブ材５は、図４に示すように、分割可能に構成されている。具体的には、チューブ材５は、第１部材１１（設置力増強部材２１）に取り付けられるＩ字状のチューブ材５１と、第２部材１２（設置力増強部材２２）に取り付けられるＣ字状のチューブ材５２とに分割可能である。
【００５２】
チューブ材５１の端部と、チューブ材５２の端部とは、平面視において（Ｚ方向から見て）、互いにＹ方向にずれた状態で配置されている。つまり、チューブ材５１の端部と、チューブ材５２の端部とは、略水平方向（ＸＹ方向）に重なることがないように配置されている。これにより、チューブ材５１の端部と、チューブ材５２の端部とが、ウォーターフェンス１００設置の際に、互いに変形して伸びて干渉することを抑制することができる。
【００５３】
（通水部材の構成）
図６に示すように、通水部材４は、ウォーターフェンス１００に１つ設けられている。また、通水部材４は、設置力増強部材２により取り囲まれ、ポンプ３により真空引きされる領域Ａ（図６の２点鎖線で囲まれた部分）の外側から、領域Ａの内側に通水する流路４１を有している。すなわち、図７に示すように、通水部材４は、水が押し寄せてくる側の領域（主にウォーターフェンス１００のＹ２方向側の領域）から、ポンプ３により水を吸い込む入口部分である吸水口１５ａが配置される領域Ａに通水する流路４１を有している。なお、流路４１とは、通水部材４の内側に形成され、水を通す経路として機能する部分である。要するに、通水部材４の内側の空間（図７の２点鎖線で囲まれた部分）が流路４１である。通水部材４は、設置力増強部材２との間に、チューブ材５１を圧縮状態で挟み込んでいる。
【００５４】
図８に示すように、通水部材４は、設置力増強部材２の前面２ａ側に設置されている。具体的には、通水部材４は、環状の設置力増強部材２の前方部分２０（図８の２点鎖線で囲まれた部分）の下端（底面２ｂ）に設けられている。なお、設置力増強部材２は、Ｘ方向に延びるとともに、Ｙ方向に平行に並ぶ一対の直方体部分と、Ｙ方向に延びるとともに、Ｘ方向に平行に並ぶ一対の直方体部分とにより矩形の環状に形成されており、前方部分２０とは、Ｙ方向に平行に並ぶ一対の直方体部分のうちＹ２方向側の直方体部分に相当する。
【００５５】
通水部材４は、設置力増強部材２（設置力増強部材２１）の幅方向（Ｘ方向）の略中央に配置されている。また、通水部材４は、たとえば、接着により、設置力増強部材２に対して固定的に取り付けられている。また、通水部材４は、設置力増強部材２により囲まれた領域Ａ側の設置力増強部材２の内側面２ｃと、領域Ａ側とは逆側の設置力増強部材２の外側面（前面２ａ）とを貫通するように延びている。
【００５６】
通水部材４（流路４１）は、平面視において（Ｚ方向から見て）、前方部分２０が延びる方向と直交する方向（すなわちＹ方向）に延びている。また、通水部材４（流路４１）は、平面視において、パイプ１５の吸水口１５ａに向けて延びている。すなわち、通水部材４は、流路４１に通水することにより、吸水口１５ａに向けて水を流れさせるように構成されている。
【００５７】
図９に示すように、通水部材４は、通水部材４が延びる方向（Ｙ方向）に直交する面による縦断面Ｓが上方（Ｚ１方向）に窪む凹形状を有している。詳細には、通水部材４は、Ｙ方向を長手方向とする矩形の一対の板状部４２が交差して形成されている。また、一対の板状部４２の中心角度αは、９０度である。すなわち、通水部材４は、上方に角部が突出するＬ字形状のアングル材により形成されている。したがって、通水部材４（流路４１）は、下側（Ｚ２方向側）に向かうにつれて幅Ｗが大きくなるように（末広がり形状に）形成されている。また、ウォーターフェンス１００は、通水部材４を上方に角部が突出するＬ字形状のアングル材とすることで、すなわち、上方に尖った形状とすることで、通水部材４を設置力増強部材２に効果的に食い込ませることができる。
【００５８】
一例として、通水部材４は、厚みＴが１ｍｍ、板状部４２の短手方向の大きさＬ１が１０ｍｍ、板状部４２の長手方向（Ｙ方向）の大きさＬ２が５５ｍｍとなるように形成されている。通水部材４（一対の板状部４２）の下端は、設置力増強部材２の底面２ｂと略同一平面上に位置している。
【００５９】
通水部材４は、概して、上下方向（Ｚ方向）の高さＬ３が、設置力増強部材２（非圧縮状態の設置力増強部材２）の高さの５分の１以上３分の１未満となるように形成されている。
【００６０】
一例として、設置力増強部材２の上下方向の高さＤ１が３０ｍｍである場合、通水部材４は、上下方向の高さＬ３が約７ｍｍとなるように形成されている。なお、上記の通り、通水部材４の一対の板状部４２の中心角度αが９０度であるため、上下方向（Ｚ方向）の高さＬ３は、（Ｌ１／√２）に等しい。
【００６１】
図８に示すように、通水部材４は、Ｙ方向において、設置力増強部材２の内側面２ｃおよび外側面（前面２ａ）からそれぞれ略等しい長さＬ４だけ突出するように構成されている。
【００６２】
一例として、設置力増強部材２の前方部分２０のＹ方向の大きさＤ２が４５ｍｍであり、通水部材４（板状部４２）の長手方向（Ｙ方向）の大きさＬ２が５５ｍｍである場合、通水部材４は、Ｙ方向において、設置力増強部材２の内側面２ｃおよび外側面（前面２ａ）からそれぞれ５ｍｍずつ突出するように構成されている。これにより、通水部材４は、設置力増強部材２が、ウォーターフェンス１００設置の際における、ウォーターフェンス１００の重さ（重り収容部１２１に収容される重りの重さを含む）と、ポンプ３の吸引により生じる負圧によって圧縮されて弾性変形したとしても、弾性変形した設置力増強部材２により流路４１が塞がれるのを防止することができる。
【００６３】
通水部材４は、金属材料により形成されている。一例ではあるが、通水部材４は、アルミニウム材料やステンレス材料により形成されている。
【００６４】
（設置力増強部材の特性）
図１０を参照して、設置力増強部材２の特性の一例について説明する。
【００６５】
設置力増強部材２は、たとえば、見掛け密度が１１０ｋｇ／ｍ3であり、引張強さが８０ｋＰａであり、伸びが４５０％である。また、設置力増強部材２は、圧縮硬さが、圧縮率が２５％の場合、３．３ｋＰａであり、圧縮率が５０％の場合、４．５ｋＰａである。
【００６６】
図１１を参照して、設置力増強部材２の特性（水透過）の一例について説明する。
【００６７】
水透過について、設置力増強部材２は、圧縮率が６０％の場合、水深１００ｍｍの水頭圧（１００ｍｍＨ2Ｏ＝０．０１ｋｇｆ／ｃｍ2≒０．９８ｋＰａ）に対して、１０分以内に水漏れがあった。また、設置力増強部材２は、圧縮率が７０％の場合、水深１００ｍｍの水頭圧（１００ｍｍＨ2Ｏ＝０．０１ｋｇｆ／ｃｍ2≒０．９８ｋＰａ）に対して、１０分を超えて３０分以内に水漏れがあった。また、設置力増強部材２は、圧縮率が８０％および９０％の場合、水深１００ｍｍの水頭圧（１００ｍｍＨ2Ｏ＝０．０１ｋｇｆ／ｃｍ2≒０．９８ｋＰａ）に対して、３０分間水漏れしなかった。なお、水透過について、１０分以内に水漏れがあった場合、「△」と示し、１０分を超えて３０分以内に水漏れがあった場合、「○」と示し、３０分間水漏れしなかった場合、「◎」と示している。
【００６８】
設置力増強部材２に用いる気孔率５０％〜６０％程度の半連続気泡構造のスポンジ材は、圧縮率に応じた透過率となる。また、設置力増強部材２は、５０％以上８０％以下の圧縮率になるように圧縮抑制することにより、半連続気泡構造のスポンジを透過する水量をポンプ３の呼び水として適度な透過水量に抑えることが可能である。また、設置力増強部材２（スポンジ）を透過した水をポンプ３で排水するのでウォーターフェンス本体部１を越えて浸水させないようにすることが可能である。つまり、ポンプ３を駆動させた場合に、設置力増強部材２の圧縮率が５０％以上８０％以下になることが好ましい。
【００６９】
（チューブ材の特性）
図１２を参照して、チューブ材５の特性の一例について説明する。
【００７０】
チューブ材５は、たとえば、見掛け密度が７８０ｋｇ／ｍ3であり、引張強さが３４０ｋＰａであり、伸びが７５０％である。つまり、チューブ材５は、設置力増強部材２よりも柔らかい。また、チューブ材５は、２００％に伸ばした際の引張応力が８０ｋＰａである。なお、引張強さ、伸び率、２００％引張応力は、長さ１０ｃｍのチューブ材５に２．５ｍｍほどの切り込みを入れて試験を行った。また、チューブ材５は、吸水率が１．０％以下である。つまり、チューブ材５は、設置力増強部材２よりも低い吸水率を有する。
【００７１】
（第１実施形態の効果）
第１実施形態では、以下のような効果を得ることができる。
【００７２】
第１実施形態では、上記のように、ポンプ３により水を吸い取るための吸水口１５ａを含むウォーターフェンス本体部１と、ウォーターフェンス本体部１の底部（底面１ａ）に、吸水口１５ａを取り囲むように周状に配置され、設置面への設置性を向上させる設置力増強部材２とを設ける。これにより、ウォーターフェンス本体部１の設置時の自重と、ポンプ３が吸水することとによって、設置力増強部材２は、弾性圧縮変形するとともに、外部から設置面とウォーターフェンス本体部１の底面１ａとの間に侵入する水を適量に抑制しつつポンプ３の自吸水を確保することができる。これらの結果、水密性を確保することができるので、浸水を効果的に抑制することができる。また、ポンプ３により、ウォーターフェンス１００と設置面との間の水を空気とともに吸い取ることができるので、ウォーターフェンス本体部１の底面１ａと設置面との間に負圧を発生させることができる。その結果、ウォーターフェンス１００を安定して設置することができるので、浸水を一層効果的に抑制することができる。また、設置力増強部材２とは別個にウォーターフェンス本体部１の前面１ｂ側に配置され、設置力増強部材２により取り囲まれた領域Ａの外側から設置力増強部材２により取り囲まれた領域Ａの内側に通水する流路４１を有する通水部材４を設ける。これにより、ポンプ３の吸水によってウォーターフェンス１００の底部（設置力増強部材２により取り囲まれた領域Ａ）の真空度が上がり、設置力増強部材２が圧縮されたとしても、通水部材４により設置力増強部材２に取り囲まれた領域Ａ内に水を送ること（通水すること）ができるので、ポンプ３に継続的に吸水させることができる。その結果、ポンプ３が空運転するのを抑制することができるので、吸水した水によりポンプ３を継続的に冷却することができる。すなわち、ポンプ３の温度が上昇することにより、ポンプ３が停止するのを抑制することができる。以上のように、ウォーターフェンス１００は、浸水を効果的に抑制することができるとともに、ポンプ３の温度が上昇することにより、ポンプ３が停止するのを抑制することができる。
【００７３】
また、第１実施形態では、上記のように、通水部材４を、設置力増強部材２の前面２ａ側に設置する。これにより、設置面に接触する設置力増強部材２に通水部材４が設けられるので、比較的低い水位であっても通水部材４により、ウォーターフェンス１００の前面に押し寄せる水を設置力増強部材２に取り囲まれた領域Ａに通水することができる。
【００７４】
また、第１実施形態では、上記のように、流路４１を、平面視において、吸水口１５ａに向けて延びるように形成する。これにより、通水部材４の流路４１から設置力増強部材２により取り囲まれた領域Ａに通水された水を、吸水口１５ａに向けて流すことができるので、吸水口１５ａから吸水されやすくすることができる。
【００７５】
また、第１実施形態では、上記のように、通水部材４を、設置力増強部材２により取り囲まれた領域Ａ側の設置力増強部材２の内側面２ｃと、領域Ａ側とは逆側の設置力増強部材２の外側面（前面２ａ）とを貫通するように延びるとともに、設置力増強部材２の下端に設けられ、縦断面が上方に窪む凹形状に形成する。これにより、通水部材４が、設置力増強部材２の下端に設けられるとともに、縦断面が上方に窪む凹形状を有するので、ウォーターフェンス１００の底面に設けられた通水部材４にゴミ等が堆積したとしても、容易に取り除くことができる。
【００７６】
また、第１実施形態では、上記のように、流路４１を、下側に向かうにつれて幅が大きくなるように形成する。これにより、流路４１が、水が溜まっていく側である下側の幅が大きくなるように形成されているので、水位が流路４１の高さよりも低い場合であっても、空気の吸い込み量を少なくして効果的に設置力増強部材２により取り囲まれた領域Ａに通水することができる。
【００７７】
また、第１実施形態では、上記のように、通水部材４を、金属材料により形成する。これにより、比較的強度（剛性）が低い材料により通水部材４が形成されている場合と比較して、ウォーターフェンス本体部１の底面１ａと設置面との間に負圧を発生させた際の通水部材４の変形を小さくすることができる。その結果、通水部材４の変形により流路４１が塞がれて、通水部材４の通水量が小さくなるのを抑制することができる。
【００７８】
また、第１実施形態では、上記のように、通水部材４を、設置力増強部材２に設け、通水部材４の上下方向の高さを、設置力増強部材２の上下方向の高さの５分の１以上３分の１未満とする。これにより、ウォーターフェンス１００の重さ（重り収容部１２１に収容される重りの重さを含む）と、ウォーターフェンス本体部１の底面１ａと設置面との間の負圧により設置力増強部材２が圧縮変形される際に、通水部材４が設置力増強部材２の圧縮変形を阻害しないよう構成することができる。
【００７９】
［第２実施形態］
次に、図１３を参照して、本発明の第２実施形態のウォーターフェンス２００について説明する。この第２実施形態では、通水部材４が設置力増強部材２の前面２ａ側にのみ設けられた上記第１実施形態とは異なり、通水部材４ａが設置力増強部材２の側面２ｄ側に設けられる例について説明する。
【００８０】
（ウォーターフェンスの構成）
本発明の第２実施形態によるウォーターフェンス２００は、図１３に示すように、通水部材４ａを備えている。
【００８１】
通水部材４ａは、ウォーターフェンス２００に２つ設けられている。また、通水部材４ａは、設置力増強部材２により取り囲まれ、ポンプ３により真空引きされる領域Ａの外側から、領域Ａの内側に通水する流路４１を有している。また、２つの通水部材４ａは、ウォーターフェンス本体部１の両側面１ｄ側（Ｘ１方向側およびＸ２方向側）にそれぞれ設置されている。具体的には、２つの通水部材４ａは、環状の設置力増強部材２の一対の側方部分２０ａ（２点鎖線で囲まれた部分）の下端（底面２ｂ）にそれぞれ設けられている。なお、設置力増強部材２は、Ｘ方向に延びるとともに、Ｙ方向に平行に並ぶ一対の直方体部分と、Ｙ方向に延びるとともに、Ｘ方向に平行に並ぶ一対の直方体部分とにより矩形の環状に形成されており、一対の側方部分２０ａとは、Ｘ方向に平行に並ぶ一対の直方体部分に相当する。
【００８２】
通水部材４ａは、設置力増強部材２（設置力増強部材２１）の前後方向（Ｙ方向）の略中央に設けられている。また、通水部材４ａは、設置力増強部材２により囲まれた領域Ａ側の設置力増強部材２の内側面２ｃと、領域Ａ側とは逆側の設置力増強部材２の外側面（側面２ｄ）とを貫通するように延びている。
【００８３】
通水部材４ａ（流路４１）は、平面視において（Ｚ方向から見て）、側方部分２０ａと直交する方向（Ｘ方向）に延びている。また、通水部材４ａ（流路４１）は、平面視において、パイプ１５の吸水口１５ａに向けて延びている。すなわち、通水部材４ａは、流路４１に通水することにより、吸水口１５ａに向けて水を流れさせるように構成されている。また、２つの通水部材４ａおよび吸水口１５ａは、平面視において（Ｚ方向から見て）、同一直線上に配置されている。
【００８４】
図１３に示す例では、通水部材４ａをウォーターフェンス本体部１の両側面１ｄ側に２つ設けた例について説明したが、本発明の第２実施形態はこれに限定されない。本発明の第２実施形態はウォーターフェンス本体部１の両側面１ｄのいずれか片方に通水部材４ａを１つ以上設けるよう構成してもよい。
【００８５】
（第２実施形態の効果）
第２実施形態では、以下のような効果を得ることができる。
【００８６】
第２実施形態では、上記第１実施形態と同様に、ポンプ３により水を吸い取るための吸水口１５ａを含むウォーターフェンス本体部１と、ウォーターフェンス本体部１の底部に、吸水口１５ａを取り囲むように周状に配置され、設置面への設置性を向上させる設置力増強部材２とを設けるとともに、設置力増強部材２とは別個にウォーターフェンス本体部１の両側面１ｄ側に配置され、設置力増強部材２により取り囲まれた領域Ａの外側から設置力増強部材２により取り囲まれた領域Ａの内側に通水する流路４１を有する通水部材４ａを設ける。これにより、ウォーターフェンス２００を、前面・背面関係なくウォーターフェンス２００を設置することができるとともに、ポンプ３の温度が上昇することにより、ポンプ３が停止するのを抑制することができる。
【００８７】
また、第２実施形態では、上記のように、通水部材４ａを、設置力増強部材２の下端に、水平方向に間隔を隔てて複数設ける。これにより、通水部材４ａが１つの場合と比較して、１つの通水部材４ａがゴミ等で閉塞したとしても、他の通水部材４ａにより、設置力増強部材２に取り囲まれた領域Ａ内に、より安定して水を送ること（通水すること）ができるので、ポンプ３をより効果的に冷却させることができる。
【００８８】
なお、第２実施形態のその他の効果は、上記第１実施形態と同様である。
【００８９】
［第３実施形態］
次に、図１４〜図１６を参照して、本発明の第３実施形態のウォーターフェンス３００について説明する。この第３実施形態では、設置力増強部材２により取り囲まれた領域Ａが１つのみ設けられた上記第１実施形態とは異なり、設置力増強部材２により取り囲まれた領域Ａが複数設けられる例について説明する。
【００９０】
（ウォーターフェンスの構成）
ウォーターフェンス３００は、図１４および図１５に示すように、第１ウォーターフェンス３０１と、第１ウォーターフェンス３０１のＸ方向の両側に配置される一対の第２ウォーターフェンス３０２とを備えている。第１ウォーターフェンス３０１および一対の第２ウォーターフェンス３０２は、それぞれ、第１実施形態のウォーターフェンス１００と同様の構成を備えている。第１ウォーターフェンス３０１および一対の第２ウォーターフェンス３０２の下方には、それぞれ、設置力増強部材２により囲まれた領域Ａが設けられている。すなわち、ウォーターフェンス３００には、Ｘ方向に隣接して並ぶ３つの領域Ａが設けられている。
【００９１】
図１５に示すように、第１ウォーターフェンス３０１および一対の第２ウォーターフェンス３０２は、それぞれ、通水部材４を備えている。すなわち、通水部材４は、ウォーターフェンス３００に３つ設けられている。また、各々の通水部材４は、各々の設置力増強部材２の前面２ａ側で、かつ、環状の設置力増強部材２の前方部分２０の下端（底面２ｂ）に設けられている。また、各々の通水部材４は、各々の設置力増強部材２の幅方向（Ｘ方向）の略中央に配置されている。また、通水部材４は、Ｙ方向に延びている。
【００９２】
図１６に示すように、ウォーターフェンス３００は、第１ウォーターフェンス３０１と、第２ウォーターフェンス３０２との間に配置された当接部材６を備えている。第１ウォーターフェンス３０１および第２ウォーターフェンス３０２は、Ｘ方向において当接部材６を挟み込んだ状態で、連結部材６１により挟持されて連結されている。当接部材６は、第１実施形態において、図１０および図１１に示した設置力増強部材２の特性と同様の特性を備えている。
【００９３】
図１４に示すように、当接部材６は、第１ウォーターフェンス３０１と、第２ウォーターフェンス３０２とを連結した場合に、間をシールするように構成されている。具体的には、当接部材６は、第１ウォーターフェンス３０１と、一対の第２ウォーターフェンス３０２との間にそれぞれ配置される。また、当接部材６は、図１６に示すように、第１ウォーターフェンス３０１と密着する第１面６０ａと、第２ウォーターフェンス３０２と密着する第２面６０ｂとを有する。また、当接部材６は、弾性変形可能な部材により形成されている。たとえば、当接部材６は、設置力増強部材２と同じ材料により形成されている。
【００９４】
また、当接部材６は、矩形の板形状に形成されている。また、当接部材６は、ウォーターフェンス本体部１の高さおよび設置力増強部材２の高さの合計と略等しい高さを有するように形成されている。
【００９５】
当接部材６には、両面テープなどの接着層６２が設けられている。そして、当接部材６は、第１ウォーターフェンス３０１および第２ウォーターフェンス３０２に接着層６２を介して貼りつけられるように構成されている。また、当接部材６は、圧縮率に応じて水の透過性が変化するように構成されている。第１ウォーターフェンス３０１および第２ウォーターフェンス３０２は、当接部材６を挟み込んだ状態で、弾性を有する一対の連結部材６１によりＹ方向の両側を挟持されることにより、連結されている。
【００９６】
（第３実施形態の効果）
第３実施形態では、以下のような効果を得ることができる。
【００９７】
第３実施形態では、上記第１実施形態と同様に、ポンプ３により水を吸い取るための吸水口１５ａを含むウォーターフェンス本体部１と、ウォーターフェンス本体部１の底部に、吸水口１５ａを取り囲むように周状に配置され、設置面への設置性を向上させる設置力増強部材２とを設けるとともに、設置力増強部材２とは別個にウォーターフェンス本体部１の前面１ｂ側に配置され、設置力増強部材２により取り囲まれた領域Ａの外側から設置力増強部材２により取り囲まれた領域Ａの内側に通水する流路４１を有する通水部材４を、第１ウォーターフェンス３０１および第２ウォーターフェンス３０２のそれぞれに設ける。これにより、ウォーターフェンス３００は、浸水を効果的に抑制することができるとともに、第１ウォーターフェンス３０１および第２ウォーターフェンス３０２のそれぞれに接続されたポンプ３の温度が上昇することにより、ポンプ３が停止するのを抑制することができる。
【００９８】
なお、第３実施形態のその他の効果は、上記第１実施形態と同様である。
【００９９】
［第４実施形態］
次に、図１７を参照して、本発明の第４実施形態のウォーターフェンス４００について説明する。この第４実施形態では、設置力増強部材２により取り囲まれた領域Ａと水が押し寄せてくる側の領域との間のみを、通水部材４により通水可能に接続した上記第３実施形態とは異なり、互いに隣接する設置力増強部材２により取り囲まれた領域Ａ間を、通水部材４により通水可能に接続する例について説明する。
【０１００】
（ウォーターフェンスの構成）
ウォーターフェンス４００は、図１７に示すように、第１ウォーターフェンス４０１と、第１ウォーターフェンス４０１のＸ方向の両側に配置される一対の第２ウォーターフェンス４０２とを備えている。第１ウォーターフェンス４０１および一対の第２ウォーターフェンス４０２は、それぞれ、通水部材４ａおよび４ｂの配置を除いて、第１実施形態のウォーターフェンス１００と同様の構成を備えている。第１ウォーターフェンス４０１および一対の第２ウォーターフェンス４０２の下方には、それぞれ、設置力増強部材２により囲まれた領域Ａが設けられている。すなわち、ウォーターフェンス４００には、Ｘ方向に隣接して並ぶ３つの領域Ａが設けられている。なお、ウォーターフェンス４００は、第３実施形態のウォーターフェンス３００と同様に、当接部材６を介して第１ウォーターフェンス４０１と第２ウォーターフェンス４０２とが連結されている。
【０１０１】
一対の第２ウォーターフェンス４０２は、それぞれ、Ｘ方向の外側（第１ウォーターフェンス４０１側とは反対側）に通水部材４ａを備えている。また、ウォーターフェンス４００は、一対の第２ウォーターフェンス４０２と第１ウォーターフェンス４０１との間に、それぞれ通水部材４ｂを備えている。
【０１０２】
通水部材４ｂは、第２ウォーターフェンス４０２の領域Ａと、第１ウォーターフェンス４０１の領域Ａとに跨るように設けられており、隣接する領域Ａ間を通水可能に接続している。詳細には、通水部材４ｂは、第２ウォーターフェンス４０２の設置力増強部材２（側方部分２０ａ）の下端と、第１ウォーターフェンス４０１の設置力増強部材２（側方部分２０ａ）の下端と、当接部材６の下端とに跨るように設けられている。また、通水部材４ｂは、設置力増強部材２の前後方向（Ｙ方向）の略中央に設けられている。また、通水部材４ａ、通水部材４ｂ、および、吸水口１５ａは、平面視において（Ｚ方向から見て）、同一直線上に配置されている。
【０１０３】
ウォーターフェンス４００は、通水部材４ａを介して第２ウォーターフェンス４０２の領域Ａに通水可能（水が流れ込む）に構成されている。また、ウォーターフェンス４００は、第２ウォーターフェンス４０２の領域Ａに流れ込んだ水を、通水部材４ｂを介して第１ウォーターフェンス４０１の領域Ａに通水可能に構成されている。
【０１０４】
（第４実施形態の効果）
第４実施形態では、以下のような効果を得ることができる。
【０１０５】
第４実施形態では、上記第１実施形態と同様に、ポンプ３により水を吸い取るための吸水口１５ａを含むウォーターフェンス本体部１と、ウォーターフェンス本体部１の底部に、吸水口１５ａを取り囲むように周状に配置され、設置面への設置性を向上させる設置力増強部材２とを設けるとともに、設置力増強部材２とは別個にウォーターフェンス本体部１の前面１ｂ側に配置され、設置力増強部材２により取り囲まれた領域Ａの外側から設置力増強部材２により取り囲まれた領域Ａの内側に通水する流路４１を有する通水部材４ａを設ける。これにより、ウォーターフェンス４００は、浸水を効果的に抑制することができるとともに、ポンプ３の温度が上昇することにより、ポンプ３が停止するのを抑制することができる。
【０１０６】
また、第４実施形態では、上記のように、設置力増強部材２により取り囲まれた領域Ａを、複数隣接して設け、通水部材４ｂを、隣接する領域Ａに跨るように設け、隣接する領域Ａ間を通水可能に接続する。これにより、隣接する設置力増強部材２により取り囲まれた領域Ａ間で、通水部材４ｂにより通水することができるので、第１ウォーターフェンス４０１の領域Ａと、第２ウォーターフェンス４０２の領域Ａとで、それぞれ互いに通水させることが可能となる。その結果、複数のウォーターフェンス本体部１を設置する場合でも、第１ウォーターフェンス４０１および第２ウォーターフェンス４０２のそれぞれに接続されたポンプ３の温度が上昇することにより、ポンプ３が停止するのを抑制することができる。
【０１０７】
また、第４実施形態では、上記のように、設置力増強部材２により取り囲まれた領域Ａを複数隣接して設け、通水部材４ｂを隣接する領域Ａに跨るように設け、隣接する領域Ａ間を通水可能に接続する。これにより、第３実施形態のように各ウォーターフェンス本体部１に対応するポンプ３をそれぞれ接続するのではなく、連結されたウォーターフェンス本体部１の数未満にポンプ３の台数を減少させる（第４実施形態のように３つのウォーターフェンス本体部１を連結された構成であればポンプ３の台数を１〜２台とする）事も可能である。たとえば、第１ウォーターフェンス４０１のみにポンプ３を接続した場合でも、通水部材４ｂにより、隣接する複数の領域Ａが互いに通水可能に接続されているので、１台のポンプ３により、通水部材４ａおよび４ｂの流路４１を介して、隣接する複数の領域Ａから確実に吸水することができる。
【０１０８】
なお、第４実施形態のその他の効果は、上記第１実施形態と同様である。
【０１０９】
［第５実施形態］
次に、図１および図１８を参照して、本発明の第５実施形態のウォーターフェンス５００について説明する。この第５実施形態では、ウォーターフェンス本体部１の前面１ｂ側、あるいは側面１ｄ側に通水部材４、４ａ、４ｂを設けた上記第１〜第４実施形態とは異なり、通水部材（４、４ａ、４ｂ）をウォーターフェンス本体部１の前面１ｂ側および側面１ｄ側の少なくとも一方に設けると共に、ウォーターフェンス本体部１の背面１ｃ側に設けた例について説明する。
【０１１０】
（ウォーターフェンスの構成）
本発明の第５実施形態によるウォーターフェンス５００は、図１８に示すように、通水部材４に加えて、通水部材４ｃを備えている。
【０１１１】
通水部材４ｃは、ウォーターフェンス５００に１つ設けられている。通水部材４ｃは、ウォーターフェンス本体部１の背面１ｃ（図１参照）側に設置されている。また、通水部材４ｃは、前後方向（Ｙ方向）において、通水部材４と重なる位置に配置されている。すなわち、通水部材４ｃと通水部材４とは、吸水口１５ａを間に挟み込むように配置されている。また、通水部材４ｃは、設置力増強部材２により囲まれた領域Ａ側の設置力増強部材２の内側面２ｃと、領域Ａ側とは逆側の設置力増強部材２の外側面（背面２ｅ）とを貫通するように延びている。
【０１１２】
図１８に示す例では、第１実施形態に基づき、ウォーターフェンス本体部１の前面１ｂ側と背面１ｃ側にそれぞれ通水部材４、４ｃを設けた例について説明したが、本発明の第５実施形態はこれに限定されない。ウォーターフェンス本体部の側面側と背面側に通水部材を設けてもよいし、ウォーターフェンス本体部の前面側と側面側と背面側に通水部材を設けて構成してもよい。また、第３実施形態や第４実施形態のように複数のウォーターフェンス本体部を連結させた実施形態にも適用可能である。
【０１１３】
（第５実施形態の効果）
第５実施形態では、以下のような効果を得ることができる。
【０１１４】
第５実施形態では、ウォーターフェンス本体部１の背面１ｃ側にも通水部材４ｃを設けたので、ウォーターフェンス本体部１の背面１ｃ側へ万一漏水したとしても、背面１ｃ側の通水部材４ｃから漏水した水を、より回収しやすくして浸水を防ぐことが可能となる。
【０１１５】
なお、第５実施形態のその他の効果は、上記第１実施形態と同様である。
【０１１６】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１１７】
たとえば、上記第１および第３実施形態では、ウォーターフェンス本体部の前面側にのみ通水部材を設け、上記第２および第４実施形態では、ウォーターフェンス本体部の側面側にのみ通水部材を設けた例を示したが、本発明はこれに限らない。本発明では、ウォーターフェンス本体部の前面側および側面側の両側に通水部材を設けてもよい。
【０１１８】
また、上記第１実施形態では、設置力増強部材により取り囲まれた１つの領域Ａ（図６参照）を有するウォーターフェンスに対して通水部材を１つ設け、上記第２実施形態では、１つの領域Ａを有するウォーターフェンスに対して通水部材を２つ設け、上記第３実施形態では、３つの領域Ａを有するウォーターフェンスに対して通水部材を３つ設け、上記第４実施形態では、３つの領域Ａを有するウォーターフェンスに対して通水部材を４つ設け、上記第５実施形態では、ウォーターフェンスの前面側（及び／又は側面側）と、背面側に対して通水部材を２つ（側面側にも通水部材を設ける場合には４つ）設けた例を示したが、本発明はこれに限らない。本発明では、ウォーターフェンスに設けられる通水部材の数は、いくつでもよい（５つ以上でもよい）。また、追加で通水部材を設ける箇所は、ウォーターフェンス本体部の前面および側面あるいは背面を問わない。ただし、本発明において、通水部材の数は、吸水装置（たとえばポンプ）の冷却効果と、設置力増強部材の密着性（領域Ａの真空気密性）とが効果的に得られる所定の数に設定されるのが好ましい。なお、設置力増強部材の密着性（領域Ａの真空気密性）の観点から、１つの領域Ａを有するウォーターフェンスに対しては、通水部材の数を５つ以下とするのが好ましい。
【０１１９】
また、上記第１〜第４実施形態では、通水部材を金属材料により形成した例を示したが、本発明はこれに限らない。本発明では、通水部材をプラスチック材料などの金属材料以外の材料により形成してもよい。この場合、本発明では、ウォーターフェンス設置の際における、ウォーターフェンスの重さ（重り収容部に収容される重りの重さを含む）と、ポンプの吸引により生じる負圧に耐えうる強度（重さと負圧により破損しない強度）を有する材料が採用される。
【０１２０】
また、上記第１〜第４実施形態では、通水部材を、縦断面（通水部材が延びる方向に直交する面による断面）が上方に窪む凹形状に形成した例を示したが、本発明はこれに限らない。本発明では、たとえば、通水部材を、縦断面が環形状や、Ｃ字形状（コの字形状）、Ｉ字形状などに形成してもよい。
【０１２１】
また、上記第１〜第４実施形態では、通水部材を設置力増強部材に設けた例を示したが、本発明はこれに限らない。本発明では、たとえば、通水部材をウォーターフェンス本体に設けてもよい。
【０１２２】
また、上記第１〜第４実施形態では、通水部材の高さを、設置力増強部材（非圧縮状態の設置力増強部材）の高さの５分の１以上３分の１未満とした例を示したが、本発明はこれに限らない。本発明では、通水部材の高さを、設置力増強部材（非圧縮状態の設置力増強部材）の高さの５分の１未満、または、３分の１以上としてもよい。
【０１２３】
また、上記第１〜第４実施形態では、通水部材を、平面視において、設置力増強部材の延びる方向に対して直交するように設けた例（たとえば、第１実施形態では前方部分２０（図８参照）に通水部材が直交する）を示したが、本発明はこれに限らない。本発明では、通水部材を、平面視において、設置力増強部材の延びる方向に対して直交以外で交差するように（傾斜するように）設けてもよい。
【０１２４】
また、上記第１〜第４実施形態では、平面視において、流路が吸水口に向けて延びるように、通水部材を構成した例を示したが、本発明はこれに限らない。本発明では、平面視において、流路が吸水口から逸れた方向に向けて延びるように、通水部材を構成してもよい。
【０１２５】
また、上記第１〜第４実施形態では、ウォーターフェンスにチューブ材を設けた例を示したが、本発明はこれに限らない。本発明では、ウォーターフェンスにチューブ材を設けなくてもよい。
【０１２６】
また、上記第１〜第４実施形態では、ウォーターフェンスに入れる重りとして水を注水したり、ペットボトルを用いた例を示したが、本発明はこれに限らない。本発明では、水やペットボトル以外の部材などを重りとして用いてもよい。たとえば、バーベルや、石、砂、土などを重りとして用いてもよい。
【０１２７】
また、上記第１〜第４実施形態では、吸水装置として自吸式のポンプを用いる例を示したが、本発明はこれに限らない。本発明では、自吸式に限らず、吸水機能を有するポンプであれば特に限定されない。また、真空ポンプや掃除機などの真空吸引方式の吸引装置を用いてもよい。
【符号の説明】
【０１２８】
１  ウォーターフェンス本体部
１ａ  底面
１ｂ  前面
１ｃ  背面
１ｄ  側面
２、２１、２２  設置力増強部材
２ａ  前面
２ｃ  内側面
３  ポンプ（吸水装置）
４、４ａ、４ｂ、４ｃ  通水部材
１５ａ  吸水口
４１  流路
１００、２００、３００、４００、５００  ウォーターフェンス
Ａ  設置力増強部材により取り囲まれた領域
【図１】
2019007292.tif 000003
【図２】
2019007292.tif 000004
【図３】
2019007292.tif 000005
【図４】
2019007292.tif 000006
【図５】
2019007292.tif 000007
【図６】
2019007292.tif 000008
【図７】
2019007292.tif 000009
【図８】
2019007292.tif 000010
【図９】
2019007292.tif 000011
【図１０】
2019007292.tif 000012
【図１１】
2019007292.tif 000013
【図１２】
2019007292.tif 000014
【図１３】
2019007292.tif 000015
【図１４】
2019007292.tif 000016
【図１５】
2019007292.tif 000017
【図１６】
2019007292.tif 000018
【図１７】
2019007292.tif 000019
【図１８】
2019007292.tif 000020